(57)【特許請求の範囲】
【請求項１】
家庭向けの血液浄化回路パネルであって、
樹脂材からなるシートによって形成される板状のものであって、１以上の貫通孔を有するパネル本体と、
前記パネル本体の外部及び／又は内部に配置されたチューブ群と、
前記パネル本体と別体で形成され、前記チューブ同士を連結する連結管と、を備え、
前記連結管が、一方向に延在する１以上のツメであって係止部を持つ前記ツメを有し、前記ツメが前記貫通孔に挿入されたとき、前記係止部が前記パネル本体を貫通するように前記貫通孔に係止される
ことを特徴とする血液浄化回路パネル。
【請求項２】
回路パネルであって、
１以上の貫通孔を有するパネル本体と、
前記パネル本体の外部及び／又は内部に配置されたチューブ群と、
前記パネル本体と別体で形成され、前記チューブ同士を連結する連結管と、を備え、
前記連結管は、前記チューブの端部の外径部が嵌合される嵌合穴を有し、
前記連結管が、一方向に延在する１以上のツメであって係止部を持つ前記ツメを有し、前記ツメが前記貫通孔に挿入されたとき、前記係止部が前記貫通孔に係止され、
前記１以上の貫通孔及び前記１以上のツメがそれぞれ一対で構成され、各ツメがその先端に前記係止部として１つのかえし部を有し、
前記貫通孔は細長い形状であり、
前記ツメは、前記貫通孔の形状に対応した細長い形状であり、
前記貫通孔の長手方向は、前記嵌合穴の軸方向に沿っている
ことを特徴とする回路パネル。
【請求項３】
前記連結管は、円筒状の管本体と、前記管本体の一端部に連なり前記管本体よりも外径の小さい小径部を有し、
前記小径部は、前記嵌合穴と連通する管路が設けられ、前記管本体の軸直角方向に折れ曲がる折曲部を有しており、
前記ツメは、前記折曲部から離れた位置に設けられている
ことを特徴とする請求項２に記載の回路パネル。
【発明の詳細な説明】
【技術分野】
【０００１】
本発明は、回路パネルに関する。
【背景技術】
【０００２】
従来、パネル本体にチューブ群を配管した回路パネル（例えば、血液透析療法に用いられる血液浄化回路パネル）において、カセット化、キット化を図るための技術が各種提案されている（例えば、特許文献１参照）。
【０００３】
特許文献１には、予め複数のチューブが配管されたカセット式の透析回路を備える透析システムが提案されている。
【０００４】
ところで、近年、血液浄化回路パネルなどの回路パネルは、医療機関だけでなく家庭向けのものも普及している。このため、回路パネルには、カセット化やキット化に加え、より高い利便性も求められている。
【先行技術文献】
【特許文献】
【０００５】
【特許文献１】特許５３４９３１０号公報
【発明の概要】
【発明が解決しようとする課題】
【０００６】
本発明は、このような事情に鑑みてなされたものであり、その目的は、回路パネルのキット化、カセット化による構造の単純化を行って誤接続を防止し、家庭において個人でも使用しやすい回路パネルを提供することにある。
【課題を解決するための手段】
【０００７】
本発明は、以下の構成によって把握される。
（１）本発明は、回路パネルであって、１以上の貫通孔を有するパネル本体と、前記パネル本体の外部及び／又は内部に配置されたチューブ群と、前記パネル本体と別体で形成され、前記チューブ同士を連結する連結管と、を備え、前記連結管が、一方向に延在する１以上のツメであって係止部を持つ前記ツメを有し、前記ツメが前記貫通孔に挿入されたとき、前記係止部が前記貫通孔に係止されることを特徴とする。
（２）本発明は、上記（１）の構成において、前記１以上の貫通孔及び前記１以上のツメがそれぞれ一対で構成され、各ツメがその先端に前記係止部として１つのかえし部を有することを特徴とする。
（３）本発明は、上記（１）の構成において、前記１以上の貫通孔及び前記１以上のツメがそれぞれ１つで構成され、前記ツメがその先端に前記係止部として２つのかえし部を有することを特徴とする。
【発明の効果】
【０００８】
本発明によれば、回路パネルのキット化、カセット化による構造の単純化を行って誤接続を防止し、家庭において個人でも使用しやすい回路パネルを提供することができる。
【図面の簡単な説明】
【０００９】
【図１】本発明の実施形態に係る回路パネルの正面図である。
【図２】チューブポンプの概略を示す模式図である。
【図３】図１のＡ−Ａ線における断面図である。
【図４】図３に示されるチューブ連結構造の分解斜視図である。
【図５】図４のＢ−Ｂ線における断面図である。
【図６】他の実施形態を説明する図であり、図４に対応して描いた図である。
【図７】図６のＣ−Ｃ線における断面図である。
【図８】実施形態に係る係止構造の第１変形例を説明する図であり、図３に対応して描いた図である。
【図９】実施形態に係る係止構造の第２変形例を説明する図であり、図３に対応して描いた図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
図１は、実施形態に係る回路パネルの正面図である。図２は、チューブポンプの概略を示す模式図である。
【００１２】
図１に示す回路パネル１０は、まず、地表に対して垂直に配置される板状のパネル本体２０を有する。パネル本体２０は矩形状をなし、例えば、水平幅が垂直幅よりも若干大きくなっている。このパネル本体２０は、互いに貼付される２枚の樹脂材からなるシート（図３にて符号２１、２２で示す）によって形成される。パネル本体２０の外部及び／又は内部には、各種のチューブからなるチューブ群が配置される。
【００１３】
パネル本体２０のほぼ中央にはパネルの一方の面（図中前方面）から装着されるダイアライザー３０が取り付けられている。該ダイアライザー３０は筒状をなし、その長手方向を垂直方向に一致づけられてパネル本体２０に取付けられている。ダイアライザー３０は、その長さがパネル本体２０の垂直幅より若干大きく、各端部においてそれぞれパネル本体２０の上辺よりも上方に、下辺よりも下方に突出するように取り付けられている。
【００１４】
ここで、ダイアライザー３０の概略的な構成について説明をする。両端が密閉された筒状のダイアライザー３０には、その上端面の血液流入管部３１から血液が流入されるようになっており、下端面の血液流出管部３２から浄化した血液が流出されるようになっている。ダイアライザー３０の内部には複数（８０００本〜２００００本）の人工膜でできた細管がダイアライザー３０の軸方向に沿って配設され、これら細管には血液が流入されるようになっている。
【００１５】
また、ダイアライザー３０には、その下端側の側面の透析液流入管部（流通管部）３４から透析液が流入されるようになっており、上端側の側面の透析液流出管部（流通管部）３５から透析液が流出されるようになっている。透析液はダイアライザー３０内の細管の外側に流れるようになっており、これにより、細管の膜を介して血液と透析液の間で物質交換がなされ、不要な物質は透析液に移動し、有用な物質は血液の中に移動するようになっている。
【００１６】
パネル本体２０のダイアライザー３０よりも一方の側（図中右側）の領域において、例えば、その側辺の中央において、ダイアライザー３０側に若干切欠かれた切欠き部２４が形成される。この切欠き部２４には、ポンプチューブ６１が配管される。また、切欠き部２４の上側及び下側のパネル本体２０の幅狭の部分のそれぞれには、パネル本体２０と別体で形成される連結管５０及び連結管５１が設けられる。
【００１７】
連結管５０は、パネル本体２０における上側の幅狭の部分に係止されるとともに、パネル本体２０の上辺側に配管される外付けチューブ６０１と、ポンプチューブ６１の上端部とを連結する。また、連結管５１は、パネル本体２０における下側の幅狭の部分に係止されるとともに、パネル本体２０の下辺側に配管される外付けチューブ６０２と、ポンプチューブ６１の下端部とを連結する。なお、連結管５０及び連結管５１によるチューブ連結構造の詳細な構成については後述する。
【００１８】
ポンプチューブ６１は、チューブポンプの一構成部材となり、該ポンプチューブの駆動により、ポンプチューブ６１内の流体を一方向へ送出させることができるようになっている。ポンプチューブより送出された血液又は透析液は血液流入管部３１又は透析液流入管部３４を介してダイアライザー３０内へ送り込まれることとなる。なお、図２は、チューブポンプの概略を示す模式図である。図２において、ポンプチューブ６１に隣接して回転体６２が配置され、この回転体６２にはその周方向に沿って複数（例えば、４個）のローラ６３が備えられている。回転体６２が回転することにより、各ローラ６３が順次ポンプチューブ６１の長手方向の一部を押圧させながら一方向に移動するようになる。このため、ポンプチューブ６１内に発生する負圧によってポンプチューブ６１内の流体が同方向に送出されるようになる。
【００１９】
図1に戻る。図１に示すように、パネル本体２０のポンプチューブ６１とダイアライザー３０の間の領域において、パネル本体２０の上辺から下辺にかけて延在する中空流路７０が形成されている。中空流路７０は、２つのシート２１、２２の貼りあわせで形成されるパネル本体２０において、一方のシート２１のうち中空流路７０を形成する領域に他方のシート２２との間に隙間を有するように凹陥部（例えば、断面が半円弧状）を形成し、他方のシート２２のうち中空流路７０を形成する領域に一方のシート２１との間に隙間を有するように凹陥部（例えば、断面が半円弧状）を形成することによって、構成できるようになっている。
【００２０】
なお、中空流路７０は、その経路の途中において、平面的に比較的大きな領域を有する中空室７１が形成され、この中空室７１からパネル本体２０の一方の辺（例えば、図１では上辺）にかけて他の中空流路７０’が形成されている。これにより、中空流路７０、７０’は、流体の流れを変えることによって、分岐流路あるいは合流流路として構成できるようになっている。
【００２１】
パネル本体２０における中空流路７０、７０’の各端部には、中空流路７０、７０’と同軸に配置される筒状部材からなる連結部７３、連結部７４及び連結部７５が設けられる。連結部７３、連結部７４及び連結部７５は、パネル本体２０を構成するシート２１、２２に挟持されるインサート部品で構成される。連結部７３、連結部７４及び連結部７５のパネル本体２０の上辺、下辺とほぼ面一になる端面には、外付けチューブ（図示せず）が挿入される内径を有するようになっている。
【００２２】
パネル本体２０のダイアライザー３０よりも他方の側（図中左側）の領域において、該ダイアライザー３０に隣接して開口部２５が形成されている。開口部２５の上下のパネル本体２０の幅狭の部分のそれぞれには、連結部７６及び連結部７７が設けられる。連結部７６及び連結部７７は、パネル本体２０を構成するシート２１、２２に挟持されるインサート部品で構成される。
【００２３】
パネル本体２０の開口部２５には、一端が連結部７６に挿入され他端が連結部７７に挿入されるポンプチューブ７８が配置されている。また、連結部７６のパネル本体２０の上辺側の端面には外付けチューブ６０３が、連結部７７のパネル本体２０の下辺側の端面には外付けチューブ６０４が挿入されるようになっている。ポンプチューブ７８は、上記のポンプチューブ６１と同様に、チューブポンプの一構成部材となり、該チューブポンプの駆動により、ポンプチューブ７８内の流体を一方向へ送出させることができるようになっている。これにより、ポンプチューブより送出された血液又は透析液は血液流入管部３１又は透析液流入管部３４を介してダイアライザー３０内へ送り込まれることとなる。
【００２４】
また、パネル本体２０の該ポンプチューブ７８より外方の領域には、パネル本体２０の上辺から下辺に延在する中空流路８０、９０が並設されている。これら中空流路８０、９０はいずれも同様の構成となっている。
【００２５】
ここで、中空流路８０は、上述の中空流路７０と比較して、分岐流路あるいは合流流路となっていない直線流路であり、パネル本体２０の上辺及び下辺のそれぞれに形成される連結部８１及び連結部８２の間には樹脂材からなるチューブ８３が配管され、このチューブ８３は、連結部８１及び連結部８２とともにシート２１、２２によって挟持されるようになっている。連結部８１には外付けチューブ６０５が、また、連結部８２には外付けチューブ６０６が挿入されるようになっている。
【００２６】
このように構成される回路パネル１０では、チューブ群をパネル本体２０において定められた位置に予め配管でき、回路パネルのカセット化、キット化が実現される。なお、シート２１、２２は、樹脂材で形成されていることを示したが、例えば、ポリエチレン又はポリプロピレン等のポリオレフィン、アクリロニトリル−ブタジエン−スチレン（ＡＢＳ）、スチレン−ブタジエンコポリマー（ＳＢＣ）、ポリスチレン等のスチレン系樹脂、ポリカーボネート、ポリメタクリル酸メチル樹脂（ＰＭＭＡ）、塩化ビニル樹脂、スチレン系エラストマー、フッ素樹脂、ポリサルフォン等から選定することができる。
【００２７】
（連結管によるチューブ連結構造）
続いて、連結管５０によるチューブ連結構造を図３〜図５に基づいて説明する。図３は、図１のＡ−Ａ線における断面図、図４は、図３に示されるチューブ連結構造の分解斜視図、図５は、図４のＢ−Ｂ線における断面図である。
【００２８】
図３に示すように、このチューブ連結構造では、１以上（この例では、一対）の貫通孔２０ａをパネル本体２０に設け、この貫通孔２０ａに、ポンプチューブ６１及び外付けチューブ６０１を連結する連結管５０を取り付ける。貫通孔２０ａの形状は、各種の形状から選択可能であるが、ここでは、長方形状の貫通孔２０ａをパネル本体２０に設けた例を示す。
【００２９】
図４に示すように、連結管５０は、円筒状の管本体５２と、管本体５２の一端部に連なり管本体５２よりも外径の小さい小径部５３と、管本体５２の外周から一方向に延在する１以上（この例では、一対）のツメ５４とを備える。一対のツメ５４は、一対の貫通孔２０ａに対応して設けられ、各ツメ５４の先端には、係止部として１つのかえし部５５が外向きに突出して形成される。連結管５０の構成材料は、各種の樹脂材料、各種の金属材料などから適宜選択可能である。
【００３０】
図５に示すように、管本体５２の内部には、ポンプチューブ６１の端部の外径部が嵌合・接着される嵌合穴５６が設けられる。小径部５３は、管本体５２の軸直角方向に折れ曲がるＬ字状に形成されており、管本体５２及び小径部５３の内部には、嵌合穴５６と連通するとともに小径部５３の端面で開口するＬ字状の管路５７が設けられる。小径部５３の端部の外周には、外付けチューブ６０１の内径部が嵌合・接着される。
【００３１】
このチューブ連結構造では、一対のツメ５４が一対の貫通孔２０ａに挿入されたとき、かえし部５５が貫通孔２０ａに（より具体的には、パネル本体２０の裏面側に）係止される。これにより、ポンプチューブ６１及び外付けチューブ６０１が、連結管５０によって連結されるとともに、連結管５０を介してパネル本体２０に取り付けられる。なお、連結管５１（図１参照）によるチューブ連結構造は、詳細な説明を省略するが、連結管５０によるチューブ連結構造と基本的な構成が同じであり、ポンプチューブ６１及び外付けチューブ６０２（図１参照）が、連結管５１によって連結されるとともに、連結管５１を介してパネル本体２０に取り付けられる。
【００３２】
（実施形態の効果）
以上、説明した実施形態の効果について述べる。
本実施形態によれば、回路パネル１０のキット化、カセット化による構造の単純化を行うとともに、連結管５０，５１によるチューブ連結構造によりポンプチューブ６１及び外付けチューブ６０１，６０２の誤接続を防止でき、家庭において個人でも使用しやすい回路パネル１０を提供することができる。
【００３３】
（他の実施形態）
次に、他の実施形態を図６、図７に基づいて説明する。
図６は、他の実施形態を説明する図であり、図４に対応して描いた図である。図７は、図６のＣ−Ｃ線における断面図である。
【００３４】
なお、前述した連結管５０（図３〜図５参照）と共通する要素には同じ符号を付して、重複する説明を省略することとする（後述する係止構造の第１変形例及び第２変形例についても同様）。
【００３５】
前述した連結管５０（図４参照）においては、パネル本体２０の内部に配置されるポンプチューブ６１と、パネル本体２０の外部に配置される外付けチューブ６０１を連結したが、この他、パネル本体２０の内部に配置されるチューブ同士を連結することもできる。
【００３６】
例えば、図６に示すように、連結管５０Ａは、パネル本体２０の内部に配置される２本のチューブ６１Ａ（例えば、ポンプチューブ６１を分割した２本のチューブなど）を直線状に連結するものでもよい。この例では、図７に示すように、連結管５０Ａの管本体５２の軸方向の両端部に、チューブ６１Ａの端部が嵌合・接着される嵌合穴５６を形成し、管本体５２の内部に２つの嵌合穴５６を連通する管路５７Ａを形成する。このように構成される連結管５０Ａによれば、ツメ５４を貫通孔２０ａに挿入し、かえし部５５を貫通孔２０ａに係止することで、２本のチューブ６１Ａを、連結管５０Ａによって連結するとともに連結管５０Ａを介してパネル本体２０に取り付けることができる。
【００３７】
（係止構造の第１変形例）
次に、連結管と貫通孔の係止構造の第１変形例を図８に基づいて説明する。
図８は、係止構造の第２変形例を説明する図であり、図４に対応して描いた図である。
【００３８】
前述した連結管５０（図３参照）においては、パネル本体２０に一対の貫通孔２０ａを設け、これら一対の貫通孔２０ａに一対のツメ５４を係止したが、貫通孔の数は、任意に変更可能である。
【００３９】
例えば、第１変形例では、図８に示すように、一対のツメ５４の両方を係止可能な１つの貫通孔２０ｂをパネル本体２０に設ける。一対のツメ５４が１つの貫通孔２０ｂに挿入されたとき、かえし部５５が貫通孔２０ｂに（より具体的には、パネル本体２０の裏面側に）係止される。この第１変形例によれば、一対のツメ５４を１つの貫通孔２０ｂに挿入するだけで、連結管５０をパネル本体２０に係止することができるので、貫通孔２０ｂの数を減らしてパネル本体２０の構造の簡素化を図ることができる。
【００４０】
（係止構造の第２変形例）
次に、連結管と貫通孔の係止構造の第２変形例を図９に基づいて説明する。
図９は、係止構造の第２変形例を説明する図であり、図４に対応して描いた図である。
【００４１】
前述した連結管５０（図３参照）においては、一対のツメ５４を有する連結管５０を例示したが、管本体５２に設けるツメの数は、任意に変更可能である。
【００４２】
例えば、第２変形例では、図９に示すように、貫通孔２０ｃ及びツメ５４Ｃをそれぞれ１つ設け、ツメ５４Ｃの先端に係止部として２つのかえし部５５を設けた連結管５０Ｃを用いる。また、ゴム材料からなるブッシュ１００を貫通孔２０ｃに設け、ブッシュ１００の弾性変形を利用してツメ５４Ｃを容易に挿入可能とした構成を採用してもよい。この第２変形例によれば、ツメ５４Ｃが１つであるため、連結管５０Ｃの構造の簡素化を図ることができる。
【００４３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【００４４】
例えば、前述した実施形態では、本発明の回路パネルを、血液透析療法に用いられる血液浄化回路パネルに適用した例を示したが、本発明の回路パネルは、血液浄化回路パネルに限定されるものではなく、回路内を流れる流体は、血液、透析液の他、胸腹水などでもよい。
【符号の説明】
【００４５】
１０    回路パネル
２０    パネル本体
２０ａ  貫通孔
２０ｂ  貫通孔
２０ｃ  貫通孔
５０    連結管
５０Ａ  連結管
５０Ｃ  連結管
５４    ツメ
５４Ｃ  ツメ
５５    かえし部
６１    ポンプチューブ（チューブ）
６１Ａ  チューブ
６０１  外付けチューブ（チューブ）
６０２  外付けチューブ（チューブ）
【図１】
0006458468.tif 000002
【図２】
0006458468.tif 000003
【図３】
0006458468.tif 000004
【図４】
0006458468.tif 000005
【図５】
0006458468.tif 000006
【図６】
0006458468.tif 000007
【図７】
0006458468.tif 000008
【図８】
0006458468.tif 000009
【図９】
0006458468.tif 000010